(57)【特許請求の範囲】
【請求項１】
Ａ  コンクリートの壁面の水平方向に沿った水平目地に配設される水平目地部材であって、
前記水平目地に応じた外形形状を有する水平基材と、
前記水平基材の外形形状に沿って前記水平基材に配置されたエチレン酢酸ビニル樹脂系水平シートと、
前記エチレン酢酸ビニル樹脂系水平シートが配置された側とは反対側から前記水平基材に形成された、水平方向に沿った水平切欠部と、
を備えた水平目地部材と、
Ｂ  前記コンクリートの壁面の鉛直方向に沿った鉛直目地に配設される鉛直目地部材であって、
前記鉛直目地に応じた外形形状を有する鉛直基材と、
前記鉛直基材の外形形状に沿って前記鉛直基材に配置されたエチレン酢酸ビニル樹脂系鉛直シートと、
前記エチレン酢酸ビニル樹脂系鉛直シートが配置された側とは反対側から前記鉛直基材に形成され、鉛直方向に沿った第１鉛直切欠部と、
を備え、
前記水平目地部材は、
前記水平切欠部と連通するとともに前記第１鉛直切欠部と連通し、鉛直方向に沿った第２鉛直切欠部を備えた交差目地部材を備える、
ことを特徴とする目地部材。
【請求項２】
前記水平目地部材は、
前記交差目地部材とは別の、他の水平目地部材を備え、
前記他の水平目地部材の前記水平切欠部は、前記交差目地部材の前記水平切欠部と連通する、
ことを特徴とする請求項１に記載の目地部材。
【請求項３】
前記鉛直基材は前記コンクリート側に曲面を有することを特徴とする請求項１又は請求項２に記載の目地部材。
【請求項４】
前記水平目地部材の前記水平基材は前記コンクリート側に平面を有することを特徴とする請求項１乃至請求項３の何れかに記載の目地部材。
【請求項５】
前記水平目地は、前記コンクリートを鉛直方向において打ち継いだときに形成される水平打継ぎ面に形成され、
前記水平目地部材の前記エチレン酢酸ビニル樹脂系水平シートは、前記水平目地部材の前記水平基材が有する複数の面のうち、前記水平打継ぎ面に対向する１つの面に配置されていることを特徴とする請求項１乃至請求項４の何れかに記載の目地部材。
【請求項６】
前記交差目地部材は、前記鉛直目地部材の鉛直方向上下にある両端面のうちの一方の端面と面接触する平面であって、前記第１鉛直切欠部を前記第２鉛直切欠部に連通させるための平面を有することを特徴とする請求項１乃至請求項５の何れかに記載の目地部材。
【請求項７】
前記水平目地部材及び前記鉛直目地部材は、前記コンクリートの壁面と同一平面を構成する面を有することを特徴とする請求項１乃至請求項６の何れかに記載の目地部材。
【請求項８】
Ａ  コンクリートの壁と、
Ｂ  前記コンクリートの壁面の水平方向に沿った水平目地に配設される水平目地部材であって、
前記水平目地に応じた外形形状を有する水平基材と、
前記水平基材の外形形状に沿って前記水平基材に配置されたエチレン酢酸ビニル樹脂系水平シートと、
前記エチレン酢酸ビニル樹脂系水平シートが配置された側とは反対側から前記水平基材に形成された、水平方向に沿った水平切欠部と、
を備えた水平目地部材と、
Ｃ  前記コンクリートの壁面の鉛直方向に沿った鉛直目地に配設される鉛直目地部材であって、
前記鉛直目地に応じた外形形状を有する鉛直基材と、
前記鉛直基材の外形形状に沿って前記鉛直基材に配置されたエチレン酢酸ビニル樹脂系鉛直シートと、
前記エチレン酢酸ビニル樹脂系鉛直シートが配置された側とは反対側から前記鉛直基材に形成され、鉛直方向に沿った第１鉛直切欠部と、
を備えた鉛直目地部材と、
を備え、
前記水平目地部材は、
前記水平切欠部と連通するとともに前記第１鉛直切欠部と連通し、鉛直方向に沿った第２鉛直切欠部を備えた交差目地部材を備える、
ことを特徴とする建築物。
【発明の詳細な説明】
【技術分野】
【０００１】
本発明は、目地部材及び建築物に関し、特に、鉛直目地（縦目地）及び水平目地（横目地）の交差部分に配設される目地部材、並びに、当該目地部材を備える建築物に関する。
【背景技術】
【０００２】
コンクリートは、セメントの水和熱や外気温などによる温度変化、乾燥収縮、予想外の外力といった変形を生じる様々な要因を抱えており、これらの要因により壁面にひび割れの生じる可能性がある。このひび割れが壁面にランダムに発生すると建築物の美観が損なわれてしまう。そこで、一般に、コンクリートの建築物には、壁面の特定位置に、ひび割れを誘発するための目地（ひび割れ誘発目地）が凹設されている。
【０００３】
また、コンクリートの建築物において、コンクリートの打継ぎ部（各階躯体の区切りとなる水平方向の打継ぎ部、あるいは各階での工区割りにおける鉛直方向の打継ぎ部）にも、打継ぎ用の目地（打継ぎ目地）が凹設されている。
【０００４】
そして、これらの目地にシーリング材を充填することにより、コンクリートのひび割れや打継ぎ部分への水分の浸入を防止している。従来、目地の形成は、型枠に例えば木製の目地棒を釘止めしておき、当該型枠を用いて形成された空間内にコンクリートを打ち込んだ後、型枠及び目地棒をコンクリートから取り外していた。そして、形成された目地に、シーリング材を充填していた。
【０００５】
しかし、この場合、目地棒の脱型やシーリング材の充填が必要であり、作業が煩雑になるという問題があった。例えば、目地にシーリング材を充填する作業は、高度の熟練を要し、美しい仕上げを達成するには手間ひまがかかるものであった。また、シーリング材は、紫外線などによって劣化するので、定期的に取り替える必要があるという問題もあった。
【０００６】
そこで、目地棒の脱型とシーリング材の施工とを不要とした目地部材が提案されている（例えば、特許文献１参照。）。
【０００７】
図１１は、その目地部材を用いた建築物の目地構造を示す図である。
図１１に示す建築物は、コンクリート３１０と、コンクリート３１０の壁面に凹設された台形形状の目地３０５と、複雑な外形形状の目地部材３００とを備えている。また、目地部材３００は、壁面下地材３０１と、止水シート３０２と、透水目地材３０３とを有している。
【０００８】
壁面下地材３０１は、コンクリート３１０に物性の近い材料で形成され、コンクリート３１０の壁面と略同一平面を形成するように配置されている。止水シート３０２は、壁面下地材３０１の裏面に固着されている。この止水シート３０２には、非加硫ブチルゴムが使用されている。透水目地材３０３は、止水シート３０２に固定されている。この透水目地材３０３は、吸水力を伴う透水性を有する材料（例えば、連続発泡体や無機繊維材）であり、目地３０５に応じた外形形状を有している。
【０００９】
この構成により、目地３０５の形成位置にコンクリート３１０のひび割れを誘発し、止水シート３０２及び透水目地材３０３を組み合わせた止水機能によって、ひび割れへの水の浸入を防止するようにしていた。
【００１０】
また、特許文献１では、コンクリート３１０の打ち込み時に、目地部材付き型枠を用いることが提案されている。この目地部材付き型枠では、上記目地部材３００を型枠に仮留めするための仮留め手段を、上記目地部材３００と型枠との間に設けることで、目地部材３００が型枠に仮留めされている。コンクリート３１０の打ち込み後には、型枠がコンクリート３１０から取り外され、目地部材３００は、コンクリート３１０に埋設された状態となる。このため、目地棒の脱型とシーリング材の施工とが不要となる。
【００１１】
そして、上記目地部材３００は、型枠の鉛直方向に沿っても水平方向に沿っても当該型枠に仮留め可能である。
【特許文献１】特開２００５−０６１１７８号公報
【発明の開示】
【発明が解決しようとする課題】
【００１２】
しかしながら、特許文献１に記載の技術では、ひび割れの発生位置が目地３０５からずれることを考慮して、図１１に示したように、目地部材３００の止水シート３０２を目地３０５よりも広い範囲に亘って配置する必要がある。このことにより、図１１に示すように目地部材３００の外形形状が複雑となり、目地部材３００の外形形状が、形成する目地３０５に応じきれず、その大きさが目地３０５の大きさに対して大きくなるという問題があった。
【００１３】
また、この外形形状のため、例えば壁面下地材３０１とコンクリート３１０の境界部分にひび割れが発生する可能性があり、その場合、止水シート３０２及び透水目地材３０３によって止水を行うことができないという問題があった。
【００１４】
さらに、止水シート３０２を構成する非加硫ブチルゴムは、コンクリート３１０に対する付着強度が１ｋｇｆ／ｃｍ2程度であり、コンクリート３１０からの剥離が生じないための十分な付着強度を有していない。このため、止水シート３０２がコンクリート３１０から剥がれる可能性があり、確実に止水を行うことができない虞があるという問題点があった。
【００１５】
また、複数の目地部材３００を、型枠の水平方向及び鉛直方向の双方に沿って当該型枠に仮留めしようとすると、水平方向に沿って仮留めされる目地部材３００と、鉛直方向に沿って仮留めされる目地部材３００の交差部分の型枠への配置が困難となる。これは、目地部材３００が成型品であるために、仮留めの作業現場で目地部材３００を加工することができないためである。この結果、２つの目地部材３００，３００が互いに交差する部分において、目地をコンクリートに形成することができなかった。つまり、目地部材３００では、互いに交差する目地を形成することができなかった。このように、互いに交差する目地の形成ができなかった部分では、目地部材３００の止水機能や、目地３０５による、ひび割れを誘発させる機能が損なわれる。したがって、水平目地と鉛直目地の双方が互いに交差したような目地を形成することが可能な目地部材が求められている。
【００１６】
本発明の目的は、従来よりも小型化した目地部材であって従来よりも止水性に優れ且つコンクリートに対する付着強度が高い目地部材であって、目地の交差部分に配設されることで建築物の目地における止水機能を高めることができる目地部材、並びに当該目地部材を備える建築物を提供することにある。
【課題を解決するための手段】
【００１７】
上記目的を達成するために、本発明の目地部材は、コンクリートの壁面の水平方向に沿った水平目地に配設される水平目地部材であって、前記水平目地に応じた外形形状を有する水平基材と、前記水平基材の外形形状に沿って前記水平基材に配置されたエチレン酢酸ビニル樹脂系水平シートと、前記エチレン酢酸ビニル樹脂系水平シートが配置された側とは反対側から前記水平基材に形成された、水平方向に沿った水平切欠部とを備えた水平目地部材と、前記コンクリートの壁面の鉛直方向に沿った鉛直目地に配設される鉛直目地部材であって、前記鉛直目地に応じた外形形状を有する鉛直基材と、前記鉛直基材の外形形状に沿って前記鉛直基材に配置されたエチレン酢酸ビニル樹脂系鉛直シートと、前記エチレン酢酸ビニル樹脂系鉛直シートが配置された側とは反対側から前記鉛直基材に形成され、鉛直方向に沿った第１鉛直切欠部とを備え、前記水平目地部材は、前記水平切欠部と連通するとともに前記第１鉛直切欠部と連通し、鉛直方向に沿った第２鉛直切欠部を備えた交差目地部材を備えることを特徴とする。
【００１８】
本発明の目地部材によれば、水平目地及び鉛直目地の交差部分に配設可能な交差目地部材が準備されるので、作業現場で目地部材を加工する必要がなくなり、建築物の施工性が高まる。また、この交差目地部材においては、第２鉛直切欠部が水平切欠部及び第１鉛直切欠部の双方と連通している。この切欠部の連通に際し、水平目地部材のエチレン酢酸ビニル樹脂系水平シートと鉛直目地部材のエチレン酢酸ビニル樹脂系鉛直シートとが互いにつながる（又は近づく）ことになる。これにより、水平目地及び鉛直目地（例えば、打継ぎ目地及びひび割れ誘発目地）の交差部分においても止水機能が損なわれることがないので、建築物の目地における止水機能を従来よりも高めることができる。また、第１鉛直切欠部と水平切欠部とが第２鉛直切欠部を介して連通するので、建築物の見た目が向上する。
【００１９】
また、この目地部材の水平目地部材は、水平基材が水平目地に応じた外形形状を有するので、水平目地に応じきれていない複雑な外形形状を有する目地部材（例えば図１１に示す目地部材３００）よりも小型化されている。また、水平目地部材は、エチレン酢酸ビニル樹脂系水平シートを備えるので、止水性に優れており、コンクリートに対する付着強度も高い。目地部材の鉛直目地部材も、水平目地部材と同様に、小型化されており且つ止水性に優れており、コンクリートに対する付着強度も高い。
【００２０】
また、係る目地部材において、前記水平目地部材は、前記交差目地部材とは別の、他の水平目地部材を備え、前記他の水平目地部材の前記水平切欠部は、前記交差目地部材の前記水平切欠部と連通すること、が好ましい。これにより、水平目地部材の配置が容易になる。
【００２１】
また、係る目地部材において、前記鉛直基材は前記コンクリート側に曲面を有すること、が好ましい。これにより、鉛直目地にひび割れを誘発させやすくすることができる。
【００２２】
また、係る目地部材において、前記水平目地部材の前記水平基材は前記コンクリート側に平面を有すること、が好ましい。ここで、水平目地には、ひび割れが発生しにくい。このため、水平目地部材のコンクリート側に曲面を持たせる必要がない。したがって、水平目地部材を複雑な外形形状に成形する必要をなくすことができるので、水平目地部材を安価で準備することができる。
【００２３】
また、係る目地部材において、前記水平目地は、前記コンクリートを鉛直方向において打ち継いだときに形成される水平打継ぎ面に形成され、前記水平目地部材の前記エチレン酢酸ビニル樹脂系水平シートは、前記水平目地部材の前記水平基材が有する複数の面のうち、前記水平打継ぎ面に対向する１つの面に配置されていること、が好ましい。これにより、水平打継ぎ面に水が浸入するのをより確実に防止することができる。
【００２４】
また、係る目地部材において、前記交差目地部材は、前記鉛直目地部材の鉛直方向上下にある両端面のうちの一方の端面と面接触する平面であって、前記第１鉛直切欠部を前記第２鉛直切欠部に連通させるための平面を有すること、が好ましい。
【００２５】
これにより、鉛直目地部材と交差目地部材とが当接する突き当て面を確保することができる。このため、鉛直目地部材及び交差目地部材を、コンクリートの打ち込み時に用いる型枠に固定する際の位置決めを容易に行うことができる。
【００２６】
また、係る目地部材において、前記水平目地部材及び前記鉛直目地部材は、前記コンクリートの壁面と同一平面を構成する面を有すること、が好ましい。これにより、切欠部が不連続とならないだけでなく、目地部材の面もコンクリートの壁面において不連続とならなくなる。このため、切欠部を除いて壁面が平らなコンクリートの建築物を構築することができる。
【００２７】
また、本発明の建築物は、コンクリートの壁と、前記コンクリートの壁面の水平方向に沿った水平目地に配設される水平目地部材であって、前記水平目地に応じた外形形状を有する水平基材と、前記水平基材の外形形状に沿って前記水平基材に配置されたエチレン酢酸ビニル樹脂系水平シートと、前記エチレン酢酸ビニル樹脂系水平シートが配置された側とは反対側から前記水平基材に形成された、水平方向に沿った水平切欠部とを備えた水平目地部材と、前記コンクリートの壁面の鉛直方向に沿った鉛直目地に配設される鉛直目地部材であって、前記鉛直目地に応じた外形形状を有する鉛直基材と、前記鉛直基材の外形形状に沿って前記鉛直基材に配置されたエチレン酢酸ビニル樹脂系鉛直シートと、前記エチレン酢酸ビニル樹脂系鉛直シートが配置された側とは反対側から前記鉛直基材に形成され、鉛直方向に沿った第１鉛直切欠部とを備えた鉛直目地部材とを備え、前記水平目地部材は、前記水平切欠部と連通するとともに前記第１鉛直切欠部と連通し、鉛直方向に沿った第２鉛直切欠部を備えた交差目地部材を備えることを特徴とする。
【００２８】
本発明の建築物によれば、水平目地及び鉛直目地の交差部分に、第２鉛直切欠部が水平切欠部及び第１鉛直切欠部の双方と連通している交差目地部材が配設されていることになる。この切欠部の連通に際し、水平目地部材のエチレン酢酸ビニル樹脂系水平シートと鉛直目地部材のエチレン酢酸ビニル樹脂系鉛直シートとが互いにつながっている（又は近づいている）ことになる。これにより、水平目地及び鉛直目地（例えば、打継ぎ目地及びひび割れ誘発目地）の交差部分においても止水機能が損なわれることがないので、建築物の目地における止水機能を従来よりも高めることができる。また、第１鉛直切欠部と水平切欠部とが第２鉛直切欠部を介して連通するので、建築物の見た目が向上する。
【００２９】
また、この建築物が備える水平目地部材は、水平基材が水平目地に応じた外形形状を有するので、水平目地に応じきれていない複雑な外形形状を有する目地部材（例えば図１１に示す目地部材３００）よりも小型化されている。また、水平目地部材は、エチレン酢酸ビニル樹脂系水平シートを備えるので、止水性に優れており、コンクリートに対する付着強度も高い。目地部材の鉛直目地部材も、水平目地部材と同様に、小型化されており且つ止水性に優れており、コンクリートに対する付着強度も高い。
【発明の効果】
【００３０】
本発明の目地部材によれば、従来よりも小型化した目地部材であって従来よりも止水性に優れ且つコンクリートに対する付着強度が高い目地部材が提供される。この目地部材を目地の交差部分に配設することで建築物の目地における止水機能を高めることができる。また、この目地部材を備える本発明の建築物は、止水機能が高い。
【発明を実施するための最良の形態】
【００３１】
以下、本発明の実施の形態について図面を参照しつつ説明する。
図１は、本発明の実施の形態に係る建築物の施工方法によって構築される建築物の躯体の概略的な構成を示す部分拡大断面図である。図２は、図１の線II−IIに沿う建築物躯体の正面図である。図３は、図２の線III−IIIに沿う建築物躯体の断面図である。
【００３２】
本実施の形態では、図１に示すような建築物１を構築する。
この建築物１は、地中から鉛直方向に立設する建築物躯体２を備える。図１や図２に示す建築物躯体２の壁面２ａは、建築物躯体２の厚み方向に垂直な面であって、建築物１の外側表面である。
【００３３】
建築物躯体２は、鉄筋コンクリート製であり、図１に示すように、コンクリート内には、横筋３や縦筋４が埋設されている（図３には図示せず）。さらに、コンクリート内には、鉛直方向に沿って配置された中空のパイプ５が埋設されており、このパイプ５の中空部には、無収縮モルタル６が充填されている（図３には図示せず）。パイプ５は、コンクリートとの界面付着がほとんどない材料で構成されており、例えば塩化ビニル製である。パイプ５は、建築物躯体２の鉛直方向に並ぶ複数の横筋３に鉄製の番線（図示せず）によって結束されている。
【００３４】
また、建築物躯体２には、図１〜図３に示すように、水平目地部材３０（図４参照）と、交差目地部材４０（図５参照）が、建築物躯体２の水平方向に沿って配設されている。交差目地部材４０は、図１，図２に示すように、水平目地部材３０，３０の間に配設されている。これらの目地部材３０，４０は、一部が壁面２ａから露出するように、水平方向に沿ってコンクリートに埋設されている（埋設については後述）。目地部材３０，４０は、例えば、建築物躯体２の水平方向における水平打継ぎ面（図３参照）の壁面２ａ側に配置される。このように、水平目地部材３０も交差目地部材４０も、水平目地部材の一種である。なお、水平打継ぎ面とは、建築物１の鉛直方向においてコンクリートを打ち継いだときに形成される、コンクリートの不連続面をいう。
【００３５】
水平目地部材３０及び交差目地部材４０がコンクリートに埋設されることで、それらの間には、境界面が形成される。この境界面に対応するコンクリート側の面を水平目地（横目地）１１という。水平目地１１は、壁面２ａにおいて、水平方向に沿う長い溝状の凹部をなしている。水平目地１１は、少なくとも、水平打継ぎ面の数だけ形成される。水平目地１１が形成されることにより、壁面２ａと水平打継ぎ面の間に段差ができるので、水の浸入をさらに防止することができる。また、水平目地１１がなす凹部に水平目地部材３０及び交差目地部材４０が存在しているため、コンクリートの角部がなくなり、コンクリートの角部が欠損しにくくなる。
【００３６】
さらに、建築物躯体２には、図１〜図３に示すように、鉛直目地部材２０（図６）が、建築物躯体２の鉛直方向に沿って配設されている。鉛直目地部材２０は、一部が壁面２ａから露出するように、鉛直方向に沿ってコンクリートに埋設されている（埋設については後述）。鉛直目地部材２０は、壁面２ａの水平方向において等間隔（例えば３ｍピッチ）で配置される。
【００３７】
鉛直目地部材２０がコンクリートに埋設されることで、それらの間には、境界面が形成される。この境界面に対応するコンクリート側の面を鉛直目地（縦目地）１０という。鉛直目地１０は、壁面２ａにおいて、鉛直方向に沿う長い溝状の凹部をなしている。
【００３８】
続いて、本実施の形態に係る目地部材について説明する。
本実施の形態に係る目地部材は、コンクリートの壁面２ａの水平方向に沿った水平目地１１に配設される水平目地部材３０と、２つの水平目地部材３０，３０間に配設される交差目地部材４０と、コンクリートの壁面２ａの鉛直方向に沿った鉛直目地１０に配設される鉛直目地部材２０とから構成されている。交差目地部材４０も水平目地１１に配設される。ここで、交差目地部材４０は、図２に示すように、鉛直目地部材２０，２０間にも配設される。このため、交差目地部材４０は、鉛直目地１０にも配設される。そして、鉛直目地部材２０及び水平目地部材３０は、図２に示すように、交差目地部材４０を介してつながった状態で建築物躯体２に埋設される。
【００３９】
まず、水平目地部材３０について説明する。
図４は、図１に示す水平目地部材３０の構成及び外観を示す斜視図である。
【００４０】
水平目地部材３０は、図４に示すように、略矩形の断面形状を有する略平板状の部材であり、背面は、コンクリート側に配置される平面である。水平目地部材３０の大きさは、例えば、鉛直方向寸法が１００ｍｍであり、水平方向寸法が１ｍであり、厚み（寸法ｄ１）が２５ｍｍである。この水平目地部材３０は、図１に示した水平目地１１に応じた外形形状を有する水平基材３１と、水平基材３１に配置されたエチレン酢酸ビニル樹脂系シート３２（以下、「水平ＥＶＡシート３２」という）とを備えている。水平ＥＶＡシート３２は、水平基材３１の外形形状に沿って水平基材３１に配置されており、具体的には、水平基材３１の背面を覆っている。
【００４１】
水平基材３１は、無収縮グラウト又はポリマーセメントモルタルなどのセメント系基材で構成されている。水平基材３１は、水平ＥＶＡシート３２に覆われていない平らな面３１ａ，３１ａ（以下に説明する水平切欠部３１ｂを除く表面）を有する。これらの面３１ａ，３１ａは、建築物躯体２の壁面２ａと略同一平面を構成する。
【００４２】
また、水平基材３１には、水平ＥＶＡシート３２が配置された側とは反対側（壁面２ａ側）において、水平切欠部３１ｂが水平基材３１の長手方向（つまり水平方向）に沿って形成されている。水平切欠部３１ｂは、壁面２ａにおいて、水平方向に沿う長い溝状の凹部をなしており、その溝形状（凹部形状）は、外側に向かうにつれて拡がる台形状である。
【００４３】
ここで、上記水平切欠部３１ｂが形成された水平目地部材３０の準備方法（製造方法）の一例を説明する。
まず、水平ＥＶＡシート３２を、水平目地１１に応じた外形形状を有する金型に配置する。続いて、水平切欠部３１ｂに対応する位置に、水平切欠部３１ｂの形状に応じた外形形状（台形形状）を有する棒状部材（図示せず）を配置する。その後、棒状部材と水平ＥＶＡシート３２との間に、水平基材３１を構成するセメント系基材を流入させる。そして、セメント系基材の硬化に伴ってセメント系基材と棒状部材とが互いに固着する前に、棒状部材をセメント系基材から取り出す。このようにすることで、水平切欠部３１ｂが形成された水平目地部材３０を容易に準備（製造）することができる。取り出した棒状部材は再利用することができる。
【００４４】
水平ＥＶＡシート３２は、優れた止水性を有する。このため、水平目地１１にひび割れが生じたとしても、当該ひび割れに水が浸入するのを防止することができる（水平目地部材３０の止水機能）。具体的には、水平ＥＶＡシート３２は、伸び率が非常に高く、ひび割れなどによる変形に追従する。さらに、水平ＥＶＡシート３２は、表面（両面）が起毛しており、非加硫ブチルゴムに比較して、セメント系基材などに対する付着強度が高い。具体的には、セメント系基材に対する付着強度は、非加硫ブチルゴムが１ｋｇｆ／ｃｍ2であるのに対して、水平ＥＶＡシート３２が９ｋｇｆ／ｃｍ2である。このように、水平ＥＶＡシート３２に高い付着強度を確保することにより、水平目地部材３０の止水機能を、非加硫ブチルゴムを用いた場合よりも確実に高くすることができる。
【００４５】
図５は、図１に示す交差目地部材４０の構成及び外観を示す斜視図である。
【００４６】
交差目地部材４０は、図５に示すように、略矩形の断面形状を有する略平板状の部材であり、その背面は、コンクリート側に配置される平面である。交差目地部材４０の大きさは、例えば、鉛直方向寸法が１００ｍｍであり、水平方向寸法が２００ｍｍであり、厚み（寸法ｄ２）が２５ｍｍである。この交差目地部材４０は、図１に示した水平目地１１に応じた外形形状を有する水平基材４１と、水平基材４１に配置されたエチレン酢酸ビニル樹脂系シート４２（以下、「水平ＥＶＡシート４２」という）とを備えている。水平ＥＶＡシート４２は、水平基材４１の外形形状に沿って水平基材４１に配置されており、具体的には、水平基材４１の背面を覆っている。
【００４７】
水平基材４１は、無収縮グラウト又はポリマーセメントモルタルなどのセメント系基材で構成されている。水平基材４１は、水平ＥＶＡシート４２に覆われていない、４つの平らな面４１ａ（以下に説明する水平切欠部４１ｂ，４１ｂ’を除く表面）を有する。これらの面４１ａは、建築物躯体２の壁面２ａと略同一平面を構成する。
【００４８】
また、水平基材４１には、水平ＥＶＡシート４２が配置された側とは反対側（壁面２ａ側）において、水平切欠部４１ｂが水平基材４１の長手方向（つまり水平方向）に沿って形成されている。水平切欠部４１ｂは、壁面２ａにおいて、水平方向に沿う溝状の凹部をなしており、その溝形状（凹部形状）は、外側に向かうにつれて拡がる台形状である。なお、本実施の形態では、水平基材４１の断面における水平切欠部４１ｂの形状及び大きさは、水平目地部材３０の水平切欠部３１ｂの形状及び大きさに一致している。
【００４９】
さらに、水平基材４１には、水平ＥＶＡシート４２が配置された側とは反対側（壁面２ａ側）において、水平切欠部４１ｂ’が水平基材４１の短手方向（つまり鉛直方向）に沿って形成されている。水平切欠部４１ｂ’は、壁面２ａにおいて、鉛直方向に沿う溝状の凹部をなしており、その溝形状（凹部形状）は、外側に向かうにつれて拡がる台形状である。なお、本実施の形態では、水平基材４１の断面における水平切欠部４１ｂ’の形状及び大きさは、鉛直目地部材２０に形成された鉛直切欠部２１ｂ（後述）の形状及び大きさに一致している。このため、水平切欠部４１ｂ’は、鉛直切欠部２１ｂの機能（後述）と同等の機能を有している。
【００５０】
ここで、上記水平切欠部４１ｂ，４１ｂ’が形成された交差目地部材４０の準備方法（製造方法）は、上述した水平目地部材３０の準備方法とほぼ同様である。ただし、水平ＥＶＡシート４２の面積は、水平ＥＶＡシート３２の面積とは異なり、棒状部材の形状も異なる。また、水平ＥＶＡシート４２は、水平ＥＶＡシート３２と同様の機能を有する。すなわち、水平ＥＶＡシート４２は、止水性に優れており、また、伸び率が非常に高く、さらに、表面（両面）が起毛しているために、セメント系基材などに対する付着強度が高い。
【００５１】
上述した水平目地部材３０及び交差目地部材４０は、それらの水平基材３１，４１の背面（コンクリート側の平面）が図３に示す水平打継ぎ面に対向するように埋設される。そして、水平目地１１は、この水平打継ぎ面の壁面２ａ側に形成される。このような水平打継ぎ面に形成される水平目地１１に配設される目地部材に求められる主な機能は、止水機能である。このため、本実施の形態では、水平目地部材３０及び交差目地部材４０の外形形状を略平板状とすることで、コンクリート側に配置される背面を平面としている。そして、この背面に、水平ＥＶＡシート３２，４２を配置することで、水平打継ぎ面に水が浸入するのを防止している。
【００５２】
続いて、鉛直目地部材２０について説明する。
図６は、図１に示す鉛直目地部材２０の構成及び外観を示す斜視図である。
【００５３】
鉛直目地部材２０は、図６に示すように、平面と曲面で構成された略かまぼこ型の断面形状を有する。鉛直目地部材２０の大きさは、例えば、鉛直方向寸法が１ｍであり、水平方向寸法が５０ｍｍであり、厚み（寸法ｄ３）が２５ｍｍである。この鉛直目地部材２０は、図１に示した鉛直目地１０に応じた外形形状（曲面）を有する鉛直基材２１と、鉛直基材２１に配置されたエチレン酢酸ビニル樹脂系シート２２（以下、「鉛直ＥＶＡシート２２」という）とを備えている。鉛直ＥＶＡシート２２は、鉛直基材２１の外形形状（曲面）に沿って鉛直基材２１に配置されており、鉛直基材２１の表面の一部（曲面）を覆っている。つまり、鉛直基材２１及び鉛直ＥＶＡシート２２の双方がコンクリートの壁面２ａの鉛直目地１０に応じた外形形状を有している。
【００５４】
鉛直基材２１は、無収縮グラウト又はポリマーセメントモルタルなどのセメント系基材で構成されている。鉛直基材２１は、鉛直ＥＶＡシート２２に覆われていない平らな面２１ａ，２１ａ（以下に説明する鉛直切欠部２１ｂを除く表面）を有する。これらの面２１ａ，２１ａは、建築物躯体２の壁面２ａと略同一平面を構成する。
【００５５】
また、鉛直基材２１には、鉛直ＥＶＡシート２２が配置された側とは反対側（壁面２ａ側）において、鉛直切欠部２１ｂが鉛直基材２１の長手方向（つまり鉛直方向）に沿って形成されている。なお、本実施の形態では、鉛直基材２１の断面における鉛直切欠部２１ｂの形状は、外側に向かうにつれて拡がる台形である。なお、本実施の形態では、鉛直基材２１の断面における鉛直切欠部２１ｂの形状及び大きさは、水平目地部材３０の水平切欠部３１ｂや交差目地部材４０の切欠部４１ｂ，４１ｂ’の形状及び大きさに一致している。
【００５６】
ここで、上記鉛直切欠部２１ｂが形成された鉛直目地部材２０の準備方法（製造方法）は、上述した水平目地部材３０の準備方法とほぼ同様である。ただし、鉛直ＥＶＡシート２２の形状は、水平ＥＶＡシート３２の形状とは異なる。また、鉛直ＥＶＡシート２２は、水平ＥＶＡシート３２と同様の機能を有する。すなわち、鉛直ＥＶＡシート２２は、止水性に優れており、また、伸び率が非常に高く、さらに、表面（両面）が起毛しているために、セメント系基材などに対する付着強度が高い。
【００５７】
上述したように、鉛直基材２１に鉛直切欠部２１ｂを形成することで、鉛直基材２１は、破断されやすくなっている。これにより、建築物躯体２に予想外の外力が加わっても、先に鉛直基材２１が破断される。このため、鉛直ＥＶＡシート２２の破れや、鉛直ＥＶＡシート２２のコンクリートからの剥離が起こりにくくなる。そして、鉛直基材２１が破断したとしても、鉛直ＥＶＡシート２２は、コンクリートに付着した状態を維持したまま、破断した鉛直基材２１を保持することができるので、鉛直目地部材２０の止水機能が損なわれることはない。
【００５８】
続いて、本実施の形態に係る目地部材を構成する目地部材２０，３０，４０が建築物１に配設されたときの機能について説明する。
【００５９】
鉛直目地１０に配設される鉛直目地部材２０には、鉛直目地１０にひび割れを誘発させる機能が求められる。これは、建築物１では、水平方向よりも鉛直方向にひび割れが生じやすいためである。そこで、この機能を実現するために、鉛直目地部材２０の鉛直基材２１の外形形状を鉛直目地１０に応じた略かまぼこ型として（具体的には、コンクリート側に曲面を有するように鉛直目地部材２０の鉛直基材２１を成形し）、さらに、この鉛直基材２１に鉛直切欠部２１ｂを形成している。これにより、コンクリート内にひび割れが発生した場合、そのひび割れは鉛直切欠部２１ｂを備える鉛直目地部材２０に向かって誘発されることになる。なお、これに対して、鉛直基材２１の外形形状が鉛直目地１０に応じきれていない場合、鉛直目地１０以外の箇所（例えば、図１１に示す例では、壁面下地材３０１とコンクリート３１０の境界部分）にもひび割れが誘発される可能性がある。
【００６０】
さらに、鉛直目地部材２０を略かまぼこ型とすることで、コンクリート側に配置される面を曲面としている。そして、この曲面に、鉛直ＥＶＡシート２２を配置することで、鉛直目地１０に発生したひび割れに水が浸入するのを防止している（止水機能）。
【００６１】
なお、この建築物躯体２では、ひび割れは、パイプ５と鉛直切欠部２１ｂを備える鉛直目地部材２０との間に誘発されやすくなっている。これは、パイプ５がコンクリートとの間で界面付着をほとんどしていないために、パイプ５を埋設した部分では、建築物躯体２の厚み方向における寸法が、パイプ５を埋設していない部分よりも小さく（薄く）なっているからである。
【００６２】
一方、水平目地部材３０は、上述したように、水平打継ぎ面に配設されるので、水平目地部材３０には、水平目地１１にひび割れを誘発させる機能が求められていない。このため、水平目地部材３０には、コンクリート側に曲面を持たせる必要がない。また、水平打継ぎ面に配設されるので、水平目地部材３０には、止水機能が求められている。そこで、水平ＥＶＡシート３２は、水平基材３１の水平打継ぎ面に対向する平面（背面）に配置されている。ここで、水平目地部材３０を略平板状にすることで、複雑な外形形状に成形する必要がなく、成形が容易となる。このため、水平目地部材３０を安価に準備することができる。同様の理由で、交差目地部材４０も略平板状にしている。
【００６３】
また、交差目地部材４０が略平板状であるため、鉛直目地部材２０との当接面が平面となる。この当接面は、後述する型枠に固定する際の突き当て面となる。つまり、交差目地部材４０を略平板状にすることにより、突き当て面を広くすることができる。これにより、交差目地部材４０及び鉛直目地部材２０を型枠に固定した際に、交差目地部材４０や鉛直目地部材２０の位置がずれにくくなる。また、上記当接面において、鉛直目地部材２０の鉛直ＥＶＡシート２２と、交差目地部材４０の水平ＥＶＡシート４２とが近づくので、水平目地１１及び鉛直目地１０（つまり、打継ぎ目地及びひび割れ誘発目地）の交差部分においても止水機能が損なわれることがなくなる。
【００６４】
続いて、図１に示す建築物１（建築物躯体２）を構築するための施工方法について説明する。本施工方法によって、上述したような目地部材２０，３０，４０が建築物１の建築物躯体２を構成するコンクリート内に埋設される。
【００６５】
まず、図４〜図６に示した目地部材２０，３０，４０を準備する。ここで、交差目地部材４０を予め成型品として準備しておくことで、コンクリートを打ち込む作業現場において、鉛直目地部材２０や水平目地部材３０を加工して、目地１０，１１の交差部分に適した目地部材を新たに準備する必要がなくなり、建築物１の施工性（施工効率）が高まる。また、交差目地部材４０は、長手方向寸法が２００ｍｍ（２０ｃｍ）であり、鉛直目地部材２０や水平目地部材３０の長手方向寸法１ｍよりも短いため、小型化されており、運搬が容易であり、破損の可能性が低い。さらに、交差目地部材４０に加えて、水平目地部材３０を準備することで、水平目地１１への目地部材の配置が容易になる。
【００６６】
続いて、図７（ａ），図７（ｂ）に示す取付部材１００を準備する。取付部材１００は、鉛直目地部材２０（又は水平目地部材３０や交差目地部材４０）を後述する型枠２００に固定するための部材である。
【００６７】
取付部材１００は、図７（ａ），図７（ｂ）に示すように、発泡ウレタンなどの合成樹脂製のベース１１０と、金属製の締結部材１２０とを備えている。ベース１１０の断面形状は、図７（ｂ）に示すように、台形であり、上述した切欠部２１ｂ，３１ｂ，４１ｂ，４１ｂ’の形状と相補的な形状をなしている。締結部材１２０は、頭部１２１ａ及び軸部１２１ｂで構成されたボルト１２１と、ボルト１２１の軸部１２１ｂに形成されたネジ山（図示せず）に螺合するナット１２２とを有する。
【００６８】
取付部材１００は、ベース１１０に形成した貫通孔１１１に、ボルト１２１を嵌挿してベース１１０にボルト１２１を固定することで準備（製造）される。図７（ａ），図７（ｂ）に示すように、取付部材１００において、ボルト１２１の頭部１２１ａは、貫通孔１１１の大径部１１１ａ内に収容されており、ボルト１２１の軸部１２１ｂは、ベース１１０の小径部１１１ｂがある表面から突出している。なお、貫通孔１１１の大径部１１１ａは、ベース１１０の断面がなす台形が拡がっている側とは反対側に形成されている（図７（ｂ）参照）。この貫通孔１１１の大径部１１１ａには、ボルト１２１の頭部１２１ａが配置されない空間として、スペース１３０がある。
【００６９】
次に、取付部材１００の上記スペース１３０に仮接合用の接着部材１４０（図８参照）を充填し、続いて、この取付部材１００を鉛直目地部材２０の鉛直切欠部２１ｂに挿入することで、取付部材１００を鉛直目地部材２０に仮接合する。接着部材１４０としては、例えば、再剥離が可能な剥離性を有する不定形の接着材を用いる。取付部材１００は、１本の鉛直目地部材２０に対して、複数個、仮接合される（図９参照）。また、取付部材１００は、水平目地部材３０や交差目地部材４０にも仮接合される（図９参照）。
【００７０】
続いて、取付部材１００が仮接合された鉛直目地部材２０を、締結部材１２０のナット１２２を締め付けることにより、型枠２００（堰板）に固定する。固定された状態は、図８に示されている。型枠２００としては、例えば、ベニヤ合板などの合板パネル（木製）に、打ち込んだコンクリートを剥がれやすくするための剥離材が表面に塗布されているものを用いる。また、この型枠２００には、建築物躯体２に鉛直目地１０を形成する位置であって取付部材１００のボルト１２１に対応する位置に孔が形成されている。また、取付部材１００が仮接合された水平目地部材３０や、取付部材１００が仮接合された交差目地部材４０も型枠２００に固定される。したがって、型枠２００には、水平目地の形成位置にも孔が形成されている。
【００７１】
図９は、型枠２００に固定された目地部材２０，３０，４０の、型枠２００側から観たときの配置の一例を示す図である。
【００７２】
図９に示すように、水平目地部材３０の端面（図４に示す端面３１ｃ）と、交差目地部材４０の側面（図５に示す側面４１ｃ）は、互いに当接している。ここで、水平目地部材３０の厚み（寸法ｄ１）と、交差目地部材４０の厚み（寸法ｄ２）は同じであり、例えば２５ｍｍである。したがって、水平目地部材３０と交差目地部材４０の当接面は十分な広さが確保されている。このため、これらを型枠２００へ固定しても位置がずれにくい。また、この当接により、水平ＥＶＡシート３２，４２も互いに当接するので、止水機能が確保される。
【００７３】
また、同様に、鉛直目地部材２０の端面（図６に示す端面２１ｃ）と、交差目地部材４０の側面（図５に示す側面４１ｃ’）は、互いに当接している。ここで、鉛直目地部材２０の厚み（寸法ｄ３）と、交差目地部材４０の厚み（寸法ｄ２）は同じであり、例えば２５ｍｍである。したがって、鉛直目地部材２０と交差目地部材４０の当接面は十分な広さが確保されている。特に、鉛直目地部材２０と交差目地部材４０とは鉛直方向において上下に配設されるので、このように確保された当接面は、突き当て面となる。このため、これらを型枠２００へ固定しても位置がずれにくい。また、この当接により、水平ＥＶＡシート４２と鉛直ＥＶＡシート２２とは、互いに近づく（わずかに当接する）ので、止水機能が確保される。
【００７４】
また、図９に示す状態は、目地部材２０，３０，４０が型枠２００の表面に当接して固定されている状態であるため、鉛直目地部材２０の面２１ａと、交差目地部材４０の面４１ａと、水平目地部材３０の面３１ａは、同一平面を構成する。これらの面２１ａ，３１ａ，４１ａは、後述する脱型後に、壁面２ａと同一平面を構成することになる。これにより、壁面２ａにおいて、目地部材２０，３０，４０の面２１ａ，３１ａ，４１ａも不連続とならなくなる。これにより、建築物１の壁面を、切欠部を除いて平らにすることができることになる。
【００７５】
そして、建築物躯体２を構築する。建築物躯体２の構築は、コンクリートの打継ぎ部ごとに行われる。ここでは、床スラブを含む躯体下部の構築と、それに続く躯体上部の構築について図１０（ａ），図１０（ｂ）を用いて説明する。なお、図１０（ａ），図１０（ｂ）では、横筋３、横筋４、及びパイプ５などの図示を省略している。
【００７６】
まず、図１０（ａ）に示すように、上述したように形成した目地部材２０，３０，４０が固定された型枠２００などを用いて、床スラブを含む躯体下部２’を構成するためのコンクリート（セメント系基材）を打ち込む。このとき、目地部材３０，４０の中央部の高さが、床スラブ表面（打ち込んだコンクリートの天端面）の高さよりも低くなるように、型枠２００は設置される。これは、水平打継ぎ面が床スラブ表面の高さから建築物１の外側に向かうにつれて下降するように斜めに形成されるためである。そして、打ち込んだコンクリートが硬化した後、水平打継ぎ面を形成する。水平打継ぎ面と目地部材３０，４０が交差する位置は、目地部材３０，４０の中央位置である。
【００７７】
ここで、目地部材３０，４０は、その背面の鉛直方向寸法（図１０（ａ）に示す寸法Ｈ１）が、水平打継ぎ面の斜めに形成されるときの鉛直方向の幅（同寸法Ｈ２）よりも十分に大きくなるように形成されている。これにより、水平打継ぎ面が水平面に対して斜めに形成されても、水平打継ぎ面の位置が、目地部材３０，４０からずれることがなく、止水機能が確実に確保される。なお、寸法Ｈ１が小さく、寸法Ｈ２が大きい場合において、水平打継ぎ面が目地部材３０，４０の下方にずれて、水平打継ぎ面に水が浸入しやすくなることがあるが、本実施の形態ではそのような問題は起こらない。
【００７８】
次に、図１０（ｂ）に示すように、他の型枠２００などを用いて、躯体下部２’の水平打継ぎ面の上方にコンクリート（セメント系基材）を打ち込み、躯体上部２”を構築する。
【００７９】
そして、不要となった型枠２００をコンクリートから取り外す（脱型）。脱型は、ナット１２２をボルト１２１から取り外してから行う。これにより、目地部材２０，３０，４０は、コンクリート（躯体下部２’や躯体上部２”）に埋設された状態で、一部が壁面２ａから露出する（図２参照）ことになる。また、脱型後には、複数個の取付部材１００が目地部材２０，３０，４０に残存しているが、これらも取り外す。剥離性を有する接着部材１４０を用いたので、また、切欠部２１ｂ，３１ｂ，４１ｂ，４１ｂ’の形状を台形としたので、取付部材１００の取り外しは容易である。取り外した取付部材１００は、再利用することができる。
【００８０】
脱型後の状態は、図１〜図３に示した通りである。すなわち、上述したような工程を経ることにより、目地部材２０，３０，４０が埋設された躯体下部２’及び躯体上部２”を含む建築物躯体２が構築される。なお、建築物躯体２以外の部分（図示せず）も構築されることで、建築物１が構築される。
【００８１】
以上詳細に説明したように、本実施の形態によれば、建築物１（建築物躯体２）は、図１〜図３に示したように配設された目地部材２０，３０，４０を備えている。交差目地部材４０は、建築物１において水平目地１１及び鉛直目地１０の交差部分に配設される。この交差目地部材４０においては、鉛直切欠部４１ｂ’（第２鉛直切欠部）が鉛直目地部材２０の鉛直切欠部２１ｂ（第１鉛直切欠部）と連通している。この鉛直切欠部４１ｂ’，２１ｂの連通に際し、水平ＥＶＡシート４２と鉛直目地部材２０の鉛直ＥＶＡシート２２とが互いに近づく（一部が当接する）ことになる。このため、目地１０，１１の交差部分において、止水機能が損なわれることがない。したがって、本実施の形態に係る目地部材によれば、複雑な形状の目地部材（例えば図１１に示す従来の目地部材３００）を水平目地及び鉛直目地に配設した場合に比べて、止水性を高めることができる。さらに、交差目地部材４０には、鉛直目地部材２０の鉛直切欠部２１ｂと同じ大きさ及び同じ形状の鉛直切欠部４１ｂ’が形成されているため、鉛直目地１０へのひび割れ誘発機能が、交差目地部材４０が配設された場所においても損なわれにくい。このため、従来の目地部材よりも、ひび割れ誘発機能も高めることができる。
【００８２】
また、交差目地部材４０は、水平基材４１が水平目地１１に応じた外形形状を有するので、水平目地１１に応じきれていない複雑な外形形状を有する目地部材よりも小型化されている。また、交差目地部材４０は、水平ＥＶＡシート４２を備えるので、止水性に優れており、また、例えば非加硫ブチルゴムよりも、コンクリートに対する付着強度も高い。鉛直目地部材２０も、交差目地部材４０と同様に、小型化されており且つ止水性に優れており、また、コンクリートに対する付着強度も高い。
【００８３】
したがって、上述した鉛直目地部材２０及び交差目地部材４０の組み合わせによれば、従来よりも小型化した目地部材であって従来よりも止水性に優れ且つコンクリートに対する付着強度が高い目地部材が提供される。そして、この目地部材を、目地１０，１１の交差部分に配設することで建築物１の目地１０，１１における止水機能やひび割れ誘発機能を高めることができる。また、鉛直目地部材２０及び交差目地部材４０の組み合わせを備える建築物１は、止水機能やひび割れ誘発機能が高い。また、鉛直切欠部２１ｂと水平切欠部３１ｂとが、交差目地部材４０の切欠部（水平切欠部４１ｂ及び鉛直切欠部４１ｂ’）を介して連通するので、建築物１の見た目が向上する。
【００８４】
なお、上述した実施の形態では、鉛直目地部材２０の断面形状が略かまぼこ型であり、交差目地部材４０の断面形状が略平板状であるとしたが、この組み合わせに限られることはない。鉛直切欠部２１ｂと鉛直切欠部４１ｂ’とを連通させる際に、目地部材２０，４０が当接する突き当て面が十分に確保することができれば、いかなる形状の組み合わせであってもよい。つまり、交差目地部材４０の或る面は、鉛直目地部材２０の鉛直方向上下にある両端面のうちの一方の端面と面接触する。突き当て面が十分に確保されることで、鉛直目地部材２０及び交差目地部材４０を、型枠２００に固定する際の位置決めを容易に行うことができる。
【００８５】
また、上述した実施の形態では、水平目地部材３０を準備したが、しなくてもよい。この場合には、交差目地部材４０として、長尺状のものが準備される。また、このような長尺状の交差目地部材には、複数本（例えば２本）の鉛直切欠部４１ｃ’が鉛直目地部材２０を配置するピッチに合わせて形成されていてもよい。
【００８６】
また、鉛直目地部材２０の厚み（寸法ｄ３）と、交差目地部材４０の厚み（寸法ｄ２）は同じであるとしたが、同じでなくてもよい。つまり、寸法ｄ３と寸法ｄ２は、異なっていてもよい。ただし、寸法ｄ３と寸法ｄ２は、鉛直目地部材２０と交差目地部材４０の当接面が十分に広くなるように設定される。寸法ｄ２と寸法ｄ１も同様に当接面が十分に広くなるように設定される。
【００８７】
また、目地部材２０，３０，４０の基材２１，３１，４１は、セメント系基材で構成されるとしたが、セメント系基材に限られることはない。しかし、セメント系基材は、硬化性を有するため、その硬化性を利用して、ＥＶＡシート２２，３２，４２とセメント系基材が強固に付着した目地部材２０，３０，４０を製造することができるので、目地部材２０，３０，４０の準備が容易である。
【００８８】
また、水平ＥＶＡシート３２，４２は、水平基材３１，４１が有するコンクリート側の背面に配置されているとしたが、これに代えて、水平基材３１，４１が有するコンクリート側の３つの平面（つまり、背面と、水平方向に沿う上端（うわば）及び下端（したば））に配置されていてもよいし、２つの平面（例えば、背面と下端）に配置されていてもよい。また、鉛直基材２１はコンクリート側に曲面を有するとしたが、この曲面は、図６に示すような円弧状である必要はなく、例えば、半楕円状、又はＵ字形状であってもよい。
【００８９】
さらに、切欠部２１ｂ，３１ｂ，４１ｂ，４１ｂ’の形状は、台形であるとしたが、台形に限られることはなく、例えば、長方形であってもよい。また、切欠部２１ｂ，３１ｂ，４１ｂ，４１ｂ’の長手方向に垂直な幅方向の寸法が小さくなるように形成することが好ましい。これにより、建築物１において切欠部２１ｂ，３１ｂ，４１ｂ，４１ｂ’が凹部として露出する面積が少なくなり、建築物１の壁面２ａ側から観たときの意匠性が高まる。また、鉛直目地１０に沿う鉛直切欠部２１ｂ，４１ｂ’の形状と、水平目地１１に沿う水平切欠部３１ｂ，４１ｂの形状は異なっていてもよい。
【００９０】
また、上述した実施の形態において、壁面２ａに表面仕上げを施してもよい。表面仕上げとしては、塗装仕上げなどがある。また、表面仕上げとして、切欠部２１ｂ，３１ｂ，４１ｂ，４１ｂ’に、低強度モルタル、シーリング材（樹脂や塩化ビニル）などを充填してもよい。
【００９１】
上述した実施の形態では、水平目地１１を水平打継ぎ面に形成したが、水平打継ぎ面以外の箇所に形成してもよい。さらには、目地１１を水平方向に形成しなくてもよい。同様に、目地１０を鉛直方向に形成しなくてもよい。したがって、目地１０，１１が形成される方向は、互いに交差する方向であればよく、交差する角度に合わせて、交差目地部材４０の切欠部４１ｂ，４１ｂ’が形成される。
【００９２】
また、上述した実施の形態では、建築物躯体２が有する表面のうち、壁面２ａに、鉛直目地１０を形成するとしたが、さらに、壁面２ａに対向する壁面にも鉛直目地１０を形成してもよい。また、上述した実施の形態では、パイプ５を建築物躯体２のコンクリート内に埋設させるとしたが、必ずしも埋設させる必要はない。また、建築物躯体２は、鉄筋コンクリート製であるとしたが、これに代えて、横筋３及び縦筋４を備えないコンクリート製であってもよい。
【００９３】
上記実施の形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００９４】
【図１】本発明の実施の形態に係る建築物の施工方法によって構築される建築物の躯体の概略的な構成を示す部分拡大断面図である。
【図２】図１の線II−IIに沿う建築物躯体の正面図である。
【図３】図２の線III−IIIに沿う建築物躯体の断面図である。
【図４】図１に示す水平目地部材に当接する他の水平目地部材の構成及び外観を示す斜視図である。
【図５】図１に示す交差目地部材の構成及び外観を示す斜視図である。
【図６】図１に示す鉛直目地部材の構成及び外観を示す斜視図である。
【図７】図４〜図６に示すような目地部材を型枠に取り付けるための取付部材の構成を示す断面図であり、（ａ）は、取付部材の長手方向に沿う断面図であり、（ｂ）は、取付部材の長手方向に垂直な方向に沿う断面図である。
【図８】図６の鉛直目地部材を型枠に固定したときの状態を示す部分拡大断面図である。
【図９】図８の型枠に固定された図４〜図６の目地部材の、型枠側から観たときの配置の一例を示す図である。
【図１０】図１〜図３の建築物躯体を構築するときの状態を示す断面図であり、（ａ）は、躯体下部に対応するコンクリートを打ち込んだ後の状態を示す断面図であり、（ｂ）は、躯体上部に対応するコンクリートを打ち込んだ後の状態を示す断面図である。
【図１１】従来の建築物の概略的な構成を示す部分拡大断面図である。
【符号の説明】
【００９５】
１  建築物
２  建築物躯体
２’  躯体下部
２”  躯体上部
２ａ  壁面
１０  鉛直目地
１１  水平目地
２０  鉛直目地部材
２１  鉛直基材
２１ａ，３１ａ，４１ａ  面
２１ｂ，４１ｂ’  鉛直切欠部
２１ｃ，３１ｃ  端面
２２  エチレン酢酸ビニル樹脂系シート（鉛直ＥＶＡシート）
３０  水平目地部材
３１，４１  水平基材
３１ｂ，４１ｂ  水平切欠部
３２，４２  エチレン酢酸ビニル樹脂系シート（水平ＥＶＡシート）
４０  交差目地部材
４１ｃ，４１ｃ’  側面
１００  取付部材
１２０  締結部材
１４０  接着部材
２００  型枠
【図１】
0005034991.tif 000002
【図２】
0005034991.tif 000003
【図３】
0005034991.tif 000004
【図４】
0005034991.tif 000005
【図５】
0005034991.tif 000006
【図６】
0005034991.tif 000007
【図７】
0005034991.tif 000008
【図８】
0005034991.tif 000009
【図９】
0005034991.tif 000010
【図１０】
0005034991.tif 000011
【図１１】
0005034991.tif 000012